(57)【要約】【課題】離間した状態の圧接手段に手が届かない操作者でも圧接手段を近接方向に移動できる、また、規制手段を解除しなくても、圧接手段を近接方向に移動できる画像読取装置を提供することを目的とする。【解決手段】原稿台４と、前記原稿台上の原稿の画像を読み取る画像読取手段２と、前記原稿を前記原稿台上に圧接させる圧接手段３と、前記圧接手段を前記原稿台に対して接離可能に支持する支持手段８とを備える画像読取装置１において、前記原稿台に対して前記圧接手段を離間方向には自在に移動させ、近接方向には移動を規制するような規制手段１５と、前記規制手段と前記圧接手段を連結する定力伝達手段１４と、前記規制手段の規制を解除する解除手段１３を設けたことを特徴とする画像読取装置。【選択図】図１
2009058627.tif 000002
【特許請求の範囲】
【請求項１】
原稿台と、
前記原稿台上の原稿の画像を読み取る画像読取手段と、
前記原稿を前記原稿台上に圧接させる圧接手段と、
前記圧接手段を前記原稿台に対して接離可能に支持する支持手段とを備える画像読取装置において、
前記原稿台に対して前記圧接手段を離間方向には自在に移動させ、近接方向には移動を規制するような規制手段と、
前記規制手段と前記圧接手段を連結する定力伝達手段と、
前記規制手段の規制を解除する解除手段を設けたことを特徴とする画像読取装置。
【請求項２】
原稿台と、
前記原稿台上の原稿の画像を読み取る画像読取手段と、
前記原稿を前記原稿台上に圧接させる圧接手段と、
前記圧接手段を前記原稿台に対して接離可能に支持する支持手段とを備える画像読取装置において、
前記原稿台に対して前記圧接手段を離間方向には自在に移動させ、近接方向には任意の位置で移動を規制するような規制手段と、
前記規制手段の規制を解除する解除手段を設けたことを特徴とする画像読取装置。
【発明の詳細な説明】
【技術分野】
【０００１】
本発明は、原稿の画像を読み取る画像読取装置に関する。
【背景技術】
【０００２】
一般に複写機やプリンタなどに搭載される画像読取装置においては、装置本体に原稿を載置する原稿台と、この原稿台を開閉する回動可能な原稿カバーが設けられている。この原稿カバーは、画像読取装置においてコピー作業を行なう時に、原稿台に載置した原稿を上側から押さえてずれることを防止し、また、装置本体内に設けた露光機構からの光を反射させて良好な画質を読み取らせるという機能を有している。そして読取作業を行なうに際しては、原稿カバーを開き原稿を原稿台に載置した後に、原稿カバーを閉じて読取を行ない、読取終了後には原稿カバーを開いて原稿を原稿台から取り除く。
【０００３】
そして、画像読取装置では、原稿カバーは手動で開閉操作する構成となっているが、特に、車椅子や背の低い操作者の場合、原稿カバーが原稿台から離間した位置になると手が届かず、操作できないことがある。そのため、例えば特許文献１では自動原稿送り装置を開いたとき垂れ下がる閉じ補助部材を備えて、背の低い人や車椅子に乗った人であっても、閉じ補助部材に手を掛けて、開閉体を簡単かつ確実に閉じることができるという提案がされている。しかし、これも補助部材が操作の妨げになるという問題があり、この問題に対して例えば、特許文献２では、原稿カバーが閉じないようにロック部材を設け、このロック部材を解除することで、原稿カバーが自重で閉じる構成が提案されている。
【特許文献１】特開２００３−０６６５５４号公報
【特許文献２】特開平６−２３０６２０号公報
【発明の開示】
【発明が解決しようとする課題】
【０００４】
しかしながら上記特許文献２の従来例では、ロックを解除しない限り原稿カバーを閉じることができないので、原稿カバーが原稿台から離間状態でも手が届く操作者が原稿カバーを持って閉めようとしても閉めることができなかった。また、ロック部材を破損してしまう問題もあった。さらに、ロック部材は原稿台から一定以上離間しないと原稿カバーを離間状態で保持することができない構成のため、原稿カバーを離間状態で保持させるためには、原稿台から一定以上離間させる必要があり、操作性の上で問題であった。
【０００５】
本発明は、上記課題を解決するために成されたものであり、離間した状態の圧接手段に手が届かない操作者でも圧接手段を近接方向に移動できる、また、規制手段を解除しなくても、圧接手段を近接方向に移動できる画像読取装置を提供することを目的とする。
【課題を解決するための手段】
【０００６】
本発明は、上述の目的を達成するため、以下の構成を備えるものである。
【０００７】
原稿台と、前記原稿台上の原稿の画像を読み取る画像読取手段と、前記原稿を前記原稿台上に圧接させる圧接手段と、前記圧接手段を前記原稿台に対して接離可能に支持する支持手段とを備える画像読取装置において、前記原稿台に対して前記圧接手段を離間方向には自在に移動させ、近接方向には移動を規制するような規制手段と、前記規制手段と前記圧接手段を連結する定力伝達手段と、前記規制手段の規制を解除する解除手段を設けたことを特徴とする画像読取装置。
【発明の効果】
【０００８】
本発明の画像読取装置は、上記構成を有することで、離間した状態の圧接手段に手が届かない操作者でも圧接手段を近接方向に移動操作できるようになった。また、圧接手段が任意の位置で、圧接手段の近接方向への移動を規制する規制手段を設けたことで、任意の位置で圧接手段を保持することができるので、操作性が向上した。更に、定力伝達手段を介して規制手段が圧接手段に連結していることで、規制手段を解除しなくても、圧接手段を近接方向に移動操作できるようになった。
【発明を実施するための最良の形態】
【０００９】
以下、本発明を実施するための最良の形態を、実施例により詳しく説明する。
【実施例１】
【００１０】
図１は、第１の実施例に係る画像読取装置を示した図である。
【００１１】
１は画像読取装置本体で、２は画像読取部、３は原稿搬送部である。画像読取部２の上面部には原稿Ｓを載置するための透明なガラスからなる原稿台４が設けてある。原稿搬送部３は、給紙トレイに載置された原稿Ｓを一枚ずつ原稿台上に搬送すると共に、原稿台４上に載置された原稿Ｓを原稿台４に圧接させる。原稿搬送部３の一端部は、画像読取部２に固定したヒンジ基台５と原稿搬送部３に固定したヒンジ可動体６とをピン７で連結したヒンジ８により画像読取部２に回動可能に軸支されている。その結果、原稿搬送部は、原稿読取部に接離可能となる。ピン７はヒンジ可動体６に回動不能に固定されている。
【００１２】
ヒンジ８には、ヒンジバネ９が設けられており、原稿搬送部３が閉じる（原稿台４に近づく）方向に抵抗するトルクが定トルククラッチ１４の軸換算で３０〜４０ｍＮ・ｍ作用し、閉じる速度を低減させる。ピン７の一端には減速ギア１０が固定されており、減速ギア１１、１２、解除ギア１３、定トルククラッチ１４を介して、一方向クラッチ１５が連結されている。定トルククラッチ１４の最大伝達トルクは３０ｍＮ・ｍである。解除ギア１３及び定トルククラッチ１４は軸１６に回転可能且つ軸方向の位置を規制されて軸支されており、また、一方向クラッチ１５は一方向には回転可能に、他方向には回転不能に軸１６に軸支されている。
【００１３】
原稿搬送部３が閉じる方向に回動する場合には一方向クラッチ１５は回転不能なので、原稿搬送部３は、開いた状態で保持される。この時一方向クラッチ１５及び定トルククラッチ１４には原稿搬送部３の自重により、４０〜５０ｍＮ・ｍのトルクが付与されている。この状態で操作者が原稿搬送部３に閉じる方向に力を付与することで、定トルククラッチ１４に３０ｍＮ・ｍ以上のトルクが付与されると、解除ギア１３が回動するので、原稿搬送部３は閉じる方向に移動する。
【００１４】
原稿搬送部３が開く方向（原稿台４からの離間方向）に回動する場合には一方向クラッチ１５は回転可能なので、一方向クラッチ１５の回転抵抗が無く、原稿搬送部３を自在に開くことができる。
【００１５】
軸１６は、引っ掛け部１７が設けられており、支持板１８に軸方向に移動可能に支持されている。軸１９に回動可能に軸支されたレバーが、引っ掛け部１７に連結している。原稿搬送部３が開いた状態で、図２（ａ）に示すようにレバー２０を矢印Ａ方向に押すと、図２（ｂ）に示すように解除ギア１３が減速ギア１２から離間するので、原稿搬送部３はヒンジバネ９に抗して、ゆっくりと閉じる。レバー２０から手を離すとバネ２１により、解除ギア１３は減速ギア１２に連結する位置に移動する。その結果、原稿搬送部は、開く方向に回転する。
【００１６】
以上の内容を図３を用いて説明する。解除ギア１３と減速ギア１２が離間した状態、つまりヒンジバネ９のトルクのみが原稿搬送部３に付与される場合は、原稿搬送部３の自重による閉める方向へのトルクＹよりも、ヒンジバネ９の開く方向へのトルクＸは何れの開放角度においても小さい。その結果、原稿搬送部３はヒンジバネ９のトルクに抗しながら閉じる。
【００１７】
また、解除ギア１３と減速ギア１２が連結している状態、つまりヒンジバネ９と定トルククラッチ１４を足したトルクが原稿搬送部３に付与される場合、Ｘと定トルククラッチの開く方向へのトルクを足したＺは、何れの開放角度においても、Ｙより大きい。その結果、原稿搬送部３を開放状態で保持できる。
【００１８】
本実施例の画像読取装置は、上記したように、開いた状態の原稿搬送部に手が届かない操作者でもレバーを押すことで原稿搬送部を閉じることが可能となる。また、レバーを押さなくても、原稿搬送部を任意の位置から閉じる方向に移動させることが可能となる。
【実施例２】
【００１９】
図４に第２の実施例を示す。
【００２０】
軸３１には、ソレノイド３２が連結されている。操作部３３に備えられた解除ボタン３４が操作者に押されると、制御回路３５は、ソレノイド３２を作動させて軸３１を引くので、第１の実施例と同様にして開いた状態の原稿搬送部３はヒンジバネ９に抗して、ゆっくりと閉じる。解除ボタン３４から手を離すとバネ２１により、解除ギア１３は減速ギア１２に連結する位置に移動する。
【００２１】
本実施例の画像読取装置は、開いた状態の原稿搬送部に手が届かない操作者でも解除ボタンを押すことで原稿搬送部を閉じることが可能となる。
【図面の簡単な説明】
【００２２】
【図１】第１の実施例の画像読取装置を示す図
【図２】第１の実施例の解除動作を説明する図
【図３】原稿搬送部の開放角度とトルクの関係を示す図
【図４】第２の実施例の画像読取装置の解除動作を説明する図
【符号の説明】
【００２３】
１    画像読取装置本体
２    画像読取部（画像読取手段に対応）
３    原稿搬送部（圧接手段に対応）
４    原稿台
５    ヒンジ基台
６    ヒンジ可動体
７    ピン
８    ヒンジ（支持手段に対応）
９    ヒンジバネ
１０、１１、１２  減速ギア
１３  解除ギア（解除手段に対応）
１４  定トルククラッチ（定力伝達手段に対応）
１５  一方向クラッチ（規制手段に対応）
１６  軸
１７  引っ掛け部
１８  支持板
１９  軸
２０  レバー（解除手段に対応）
２１  バネ
３１  軸
３２  ソレノイド（解除手段に対応）
３３  操作部
３４  解除ボタン
３５  制御回路
【図１】
2009058627.tif 000003
【図２】
2009058627.tif 000004
【図３】
2009058627.tif 000005
【図４】
2009058627.tif 000006